(57)【要約】【課題】簡便で日常生活において使いやすい痔及び便秘治療器具を提供する。【解決手段】本体１０を患部に密着させて又は挿入して痔の治療を行う痔及び便秘治療器具１であって、本体１０は、患部にマッサージ効果を与える振動モータ２０と、表面温度を体温以上に維持するヒータ３０とが収容されている。振動モータ２０の振動数が１０〜３００Ｈｚに設定され、ヒータ３０の温度が３５〜４２℃に設定されている。本体１０は、剛性素材からなるケース１１と、当該ケース１１の外表面を被覆する弾性素材からなる外装部材１２とを有する。【選択図】図１
0003228281.tif 000002
【実用新案登録請求の範囲】
【請求項１】
本体を患部に密着させて又は挿入して痔及び便秘の治療を行う痔及び便秘治療器具であって、
前記本体は、患部にマッサージ効果を与える振動モータと、表面温度を体温以上に維持するヒータとを備える痔及び便秘治療器具。
【請求項２】
前記振動モータの振動数が１０〜３００Ｈｚに設定されている請求項１に記載の痔及び便秘治療器具。
【請求項３】
前記ヒータの温度が３５〜４２℃に設定されている請求項１又は２に記載の痔及び便秘治療器具。
【請求項４】
前記本体は、剛性素材からなるケースと、当該ケースの外表面を被覆する弾性素材からなる外装部材とを有する請求項１〜３の何れか一項に記載の痔及び便秘治療器具。
【請求項５】
前記本体は、砲弾型の先端部と、表面が卵型に膨出した胴部とを有する請求項１〜４の何れか一項に記載の痔及び便秘治療器具。
【請求項６】
前記本体は、基端側に鍔部を有する請求項１〜５の何れか一項に記載の痔及び便秘治療器具。
【請求項７】
前記振動モータの振幅及び／又は振動パターンを変化させる制御部をさらに備える請求項１〜６の何れか一項に記載の痔及び便秘治療器具。
【請求項８】
磁石及び／又は超音波発振器をさらに備える請求項１〜７の何れか一項に記載の痔及び便秘治療器具。
【請求項９】
前記本体は、密閉構造を成す請求項１〜８の何れか一項に記載の痔及び便秘治療器具。
【考案の詳細な説明】
【技術分野】
【０００１】
本考案は、本体を患部に密着させて又は挿入して痔及び便秘の治療を行う痔及び便秘治療器具に関する。
【背景技術】
【０００２】
痔は、直腸下部や肛門外側（以下、まとめて「肛門周辺部」と称する。）の血管がうっ血して生じる静脈瘤疾患であって、直腸下部に生じる内痔核と肛門外側に生じる外痔核とがある。痔の治療では、手術による根治治療は出血がひどい場合等に限られ、多くの場合は食生活や日常的な生活習慣の改善による保存療法が図られる。痔の保存療法では、肛門周辺部のうっ血の緩和が有効である。また、肛門周辺部のうっ血は、便秘を引き起こす一因ともなるが、うっ血の緩和は便秘の治療にも有効である。肛門周辺部のマッサージにより、うっ血の解消効果が得られるため、肛門周辺部をマッサージする器具が考案されている。
【０００３】
例えば、本体座面に設けられた開口部を介して昇降する円錐状の肛門挿入具を有する痔疾予防兼治療装置がある（例えば、特許文献１を参照）。特許文献１に記載される痔疾予防兼治療装置は、使用時に開口部から肛門挿入具を突出させ、座面に座る被治療者の肛門に挿入された状態で肛門挿入具を振動させることにより、痔の予防及び治療に効果を得ることができるとされている。
【先行技術文献】
【特許文献】
【０００４】
【特許文献１】特開平７−２７５０３９号公報
【考案の概要】
【考案が解決しようとする課題】
【０００５】
しかしながら、特許文献１の痔疾予防兼治療装置は、椅子状の本体を設置する必要があり、日常生活において使いやすいとは言い難い。また、座面の開口部に肛門の位置を合わせて座る必要があり、被治療者が使用になれるまでは、適切なマッサージ効果が得られない場合がある。
【０００６】
本考案は、上記問題点に鑑みてなされたものであり、簡便で日常生活において使いやすい痔及び便秘治療器具を提供することを目的とする。
【課題を解決するための手段】
【０００７】
上記課題を解決するための本考案に係る痔及び便秘治療器具の特徴構成は、
本体を患部に密着させて又は挿入して痔及び便秘の治療を行う痔及び便秘治療器具であって、
前記本体は、患部にマッサージ効果を与える振動モータと、表面温度を体温以上に維持するヒータとを備えることにある。
【０００８】
本構成の痔及び便秘治療器具によれば、本体が振動モータとヒータとを備えることにより、本体を患部に密着させる又は挿入するという簡便な使用形態で、痔の治療及び症状緩和のためのマッサージ効果や温熱効果を得ることができる。その結果、痔核周辺の血行を促進し、優れた痔の治療効果を奏することができる。また、本構成の痔及び便秘治療器具は、マッサージ効果や温熱効果によりうっ血を解消させ、さらに排便を促進することにより、便秘の治療にも優れた効果を奏することができる。
【０００９】
本考案に係る痔及び便秘治療器具において、
前記振動モータの振動数が１０〜３００Ｈｚに設定されていることが好ましい。
【００１０】
本構成の痔及び便秘治療器具によれば、振動モータの振動数が１０〜３００Ｈｚに設定されていることにより、痔による痛みを増大させることなく適度なマッサージ効果を得ることができる。
【００１１】
本考案に係る痔及び便秘治療器具において、
前記ヒータの温度が３５〜４２℃に設定されていることが好ましい。
【００１２】
本構成の痔及び便秘治療器具によれば、ヒータの温度が３５〜４２℃に設定されていることにより、本体の表面温度が体温以上に維持され、適切な温熱効果を得ることができ、この温熱効果によりうっ血の解消効果が得られる。
【００１３】
本考案に係る痔及び便秘治療器具において、
前記本体は、剛性素材からなるケースと、当該ケースの外表面を被覆する弾性素材からなる外装部材とを有することが好ましい。
【００１４】
本構成の痔及び便秘治療器具によれば、本体が剛性素材からなるケースを有することにより、本体内に収容される振動モータによる振動を効果的に伝えることが可能でありながら、ケースの外表面を被覆する弾性素材からなる外装部材を有することにより、痔及び便秘治療器具が柔軟な肌触りとなり、使用時の不要な刺激を抑えることができる。
【００１５】
本考案に係る痔及び便秘治療器具において、
前記本体は、砲弾型の先端部と、表面が卵型に膨出した胴部とを有することが好ましい。
【００１６】
本構成の痔及び便秘治療器具によれば、砲弾型の先端部と、表面が卵型に膨出した胴部とを有することにより、本体を臀裂に挟んで使用する際に、肛門外側の外痔核に胴部を密着させることが容易になる。その結果、外痔核の周辺の血行を効果的に促進することができる。
【００１７】
本考案に係る痔及び便秘治療器具において、
前記本体は、基端側に鍔部を有することが好ましい。
【００１８】
本構成の痔及び便秘治療器具によれば、本体が基端側に鍔部を有することにより、本体を肛門から直腸部へ挿入して使用する際に、治療器具が過度に直腸の奥側へ入り込むことが防止される。この結果、内痔核が生じる肛門近傍の血行を効果的に促進することができる。
【００１９】
本考案に係る痔及び便秘治療器具において、
前記振動モータの振幅及び／又は振動パターンを変化させる制御部をさらに備えることが好ましい。
【００２０】
本構成の痔及び便秘治療器具によれば、振動モータの振幅及び／又は振動パターンを変化させる制御部をさらに備えることにより、状態に応じてうっ血を解消するためにマッサージを施すことが可能となる。
【００２１】
本考案に係る痔及び便秘治療器具において、
磁石及び／又は超音波発振器をさらに備えることが好ましい。
【００２２】
本構成の痔及び便秘治療器具によれば、磁石及び／又は超音波発振器をさらに備えることにより、磁力線による血行促進効果や、超音波による皮膚深部への振動の付与といった効果が得られ、うっ血の解消効果をさらに向上させることができる。
【００２３】
本考案に係る痔及び便秘治療器具において、
前記本体は、密閉構造を成すことが好ましい。
【００２４】
本構成の痔及び便秘治療器具によれば、本体が密閉構造を成すことにより、使用時における体内消化物（汚物）等の侵入を防止するとともに、使用後において洗浄が容易なものとなる。
【図面の簡単な説明】
【００２５】
【図１】図１は、本考案に係る痔及び便秘治療器具を示す図である。
【図２】図２は、本考案に係る痔及び便秘治療器具の使用形態の説明図である。
【図３】図３は、変形例に係る痔及び便秘治療器具を示す図である。
【考案を実施するための形態】
【００２６】
以下、本考案の痔及び便秘治療器具に関する実施形態について、図面を参照しながら詳細に説明する。なお、各図に示される痔及び便秘治療器具の各構成要素のサイズ、位置等の関係は、考案の理解を容易にするため適宜誇張又は簡略化してある場合があり、実際の関係をそのまま反映したものとは限らない。また、本考案は、以下に説明する構成に限定されることを意図しない。
【００２７】
＜痔及び便秘治療器具＞
図１は、本考案に係る痔及び便秘治療器具１を示す図であり、（ａ）は、痔及び便秘治療器具１の斜視図、（ｂ）は、痔及び便秘治療器具１の断面図である。痔及び便秘治療器具１（以下、単に「治療器具１」とする。）は、電源線２を介してＡＣ１００Ｖの電源やＰＣのＵＳＢ端子等から給電される電力により振動、発熱する機器であり、本体１０内に振動モータ２０、及びヒータ３０を備える。治療器具１は、さらに任意の構成として、制御部４０、スイッチ５０、バッテリー６０、磁石７０、及び超音波発振器８０を備える。
【００２８】
本体１０は、表面が曲面で構成され長尺の外観形状であることが好ましく、図１に示す例では、先端部１０２が砲弾型をなし、胴部１０１が円筒状の外観形状をなす。本体１０のサイズは、患部である肛門に密着させたり、挿入したりして使用しやすいサイズに構成される。具体的には、長さは５〜１５ｃｍが好ましく、５〜１０ｃｍがより好ましい。太さは１〜５ｃｍが好ましく、１．５〜３ｃｍがより好ましい。また、本体１０は、本考案に係る治療器具１の使用時における体内消化物（汚物）等の侵入を防止するとともに、使用後において洗浄を容易とするために、密閉構造を成すことが好ましい。本体１０は、ＡＢＳ樹脂、フェノール樹脂、ポリエチレン樹脂等の剛性素材からなるケース１１が、シリコーンゴム、フッ素ゴム、及びウレタンゴム等のゴム、並びにポリスチレン系熱可塑性エラストマー、ポリオレフィン系熱可塑性エラストマー、塩化ビニル系熱可塑性エラストマー、ポリウレタン系熱可塑性エラストマー、及びポリエステル系熱可塑性エラストマー等のエラストマー樹脂等の弾性素材からなる外装部材１２によって被覆された構造をなすことが好ましい。表面が弾性素材からなる外装部材１２により被覆されていることで、本考案に係る治療器具１は柔軟な肌触りとなり、使用時の不要な刺激を抑えることができる。また、本体１０は、外装部材１２を設けず、剛性素材からなるケース１１を露出させた構造や、ケース１１自体を弾性素材により形成した構造としてもよい。
【００２９】
本体１０の内部には、振動モータ２０、ヒータ３０、制御部４０、スイッチ５０、バッテリー６０、磁石７０、及び超音波発振器８０が収容されている。振動モータ２０は、円筒型又は円盤型の振動モータ、リニア振動アクチュエータ等であり、本体１０内への収容が容易である円筒型振動モータであることが好ましい。振動モータ２０の振動数は、１０〜３００Ｈｚに設定されることが好ましく、５０〜２００Ｈｚに設定されることがより好ましい。振動モータ２０は、ケース１１の内側に成形されたリブ１１ａにより固定されている。そのため、振動数を１０〜３００Ｈｚに設定すれば、振動モータ２０から発生する振動がリブ１１ａを介して本体１０全体に効率よく伝わり、痔による痛みを増大させることのない適度なマッサージ効果を得ることができる。
【００３０】
ヒータ３０は、本体１０の表面温度を体温以上に維持する発熱要素である。発熱要素としては、例えば、カートリッジヒータ、シーズヒータ、カーボンヒータ、セラミックヒータ、及びハロゲンヒータ等の電熱ヒータが挙げられ、本体１０内への収容が容易であるカートリッジヒータであることが好ましい。振動モータ２０の駆動時の発熱や、制御部４０等における抵抗器の発熱によって本体１０の表面温度を体温以上に維持することが可能である場合は、これら以外に発熱要素を別途設けることなく、振動モータ２０、抵抗器等をヒータ３０として兼用してもよい。ヒータ３０の温度は、３５〜４２℃に設定されることが好ましく、３７〜４０℃に設定されることがより好ましい。すなわち、ヒトの平熱より若干高い温度に設定されることが好ましい。ヒータ３０は、ケース１１の内壁面に密着するように固定されている。そのため、ヒータの温度を３５〜４２℃に設定すれば、ヒータ３０から本体１０へ効率よく伝熱され、本体１０の表面温度が体温以上に維持される。図１では、１つのヒータ３０のみを図示しているが、治療器具１は複数のヒータ３０を有する構成であってもよい。この場合、複数のヒータ３０を胴部１０１の周方向に均等に配置することが好ましい。複数のヒータ３０を胴部１０１の周方向に均等に配置することにより、本体１０の表面温度を均一に維持することが容易になる。また、外径が胴部１０１の内径と一致する円筒形状のヒータ３０を用いて、ヒータ３０を胴部１０１の内周面の全周にわたって接するよう配置してもよい。
【００３１】
制御部４０は、スイッチ５０への操作に応じて、振動モータ２０へ供給する電力を制御する給電回路である。スイッチ５０の操作としては、例えば、クリックや長押し等の操作がある。制御部４０は、単なる電源のＯＮ／ＯＦＦだけではなく、クリック操作の回数や、長押し操作の押下時間等といった操作量に応じて電力制御を行うように構成することが好ましい。操作量に応じた電力制御として、例えば、制御部４０は、振動モータ２０へ印加する電圧値を制御するように構成することができる。振動モータ２０へ印加する電圧値を変化させることで、振動モータ２０の振幅及び／又は振動パターンを変化させることができる。電圧値の制御は、可変抵抗器等を用いて印加電圧をリニアに変化させるものであっても、複数の抵抗器を切り替えて印加電圧を複数段階に変化させるものであってもよい。より具体的には、制御部４０は、長押し操作の押下時間に応じて印加電圧をリニアに変化させたり、クリック操作の回数に応じて印加電圧を複数段階に変化させたりするように構成することができる。また、制御部４０は、操作量に応じた電力制御として、ＰＷＭ（Ｐｕｌｓｅ  Ｗｉｄｔｈ  Ｍｏｄｕｌａｔｉｏｎ）制御等によって振動モータ２０へ供給する電流の周波数を制御するように構成してもよい。振動モータ２０へ供給する電流の周波数を変化させることで、振動モータ２０の振動の周波数を変化させることができる。さらに、制御部４０は、操作量に応じた電力制御として、振動モータ２０への電圧の印加パターンを、連続的な印加と、間欠的な印加とに切り替えるように構成してもよい。振動モータ２０へ電圧を連続して印加することで振動モータ２０を連続して振動させ、振動モータ２０へ電圧を間欠的に印加することで振動モータ２０を間欠的に振動させることができる。連続的な電圧の印加パターンとしては、例えば、電圧値を一定とする印加パターン、及び電圧値を周期的に増減させる印加パターンが挙げられる。間欠的な電圧の印加パターンとしては、例えば、一定間隔（例えば１秒間隔）でＯＮ／ＯＦＦを繰り返すパターン、及びＯＮ／ＯＦＦの間隔を周期的又は非周期的に変化させるパターンが挙げられる。制御部４０は、さらに、振動モータ２０への給電に合わせて、ヒータ３０のＯＮ／ＯＦＦを制御することが好ましい。
【００３２】
スイッチ５０は、ケース１１の外表面側にボタンが配されたプッシュスイッチである。スイッチ５０は、本考案に係る治療器具１を密閉構造とするために、ケース１１とともに外装部材１２に被覆されることが好ましい。この場合、スイッチ５０は、柔軟な弾性素材からなる外装部材１２越しに操作することができる。
【００３３】
バッテリー６０は、ニッカド電池、ニッケル水電池、リチウムイオン電池、及びリチウムポリマー電池等の二次電池である。バッテリー６０は、電源線２を介して供給される電力により充電され、電源線２を介した電力の給電がない場合に治療器具１の電源として機能する。本考案に係る治療器具１は、ＡＣ１００Ｖ電源やＵＳＢ端子を有するＰＣ等がない場所においても、バッテリー６０を電源として駆動することにより、治療場所が限定されず、移動中や作業中等にも痔及び便秘の治療を行うことができる。さらに、リモコン（図示せず）を設け、リモコン操作により治療器具１を動作させることにより、移動中や作業中等により簡便に痔及び便秘の治療を行うこともできる。
【００３４】
磁石７０は、ネオジム磁石、コバルト磁石等の永久磁石、及び電磁石である。磁石７０の磁力特性、及び本体１０における配置は、本体１０の表面における磁束密度が１０〜２００ｍＴとなるように設定されることが好ましく、５０〜１５０ｍＴに設定されることがより好ましい。本体１０の表面における磁束密度が上記の範囲にあることで、治療器具１は、磁気治療器としての機能を有することになり、磁力線による血行促進効果を奏するものとなる。図１では、１つの磁石７０のみを図示しているが、治療器具１は複数の磁石７０を有する構成であってもよい。
【００３５】
超音波発振器８０は、圧電セラミックス等の超音波発振子を含み、振動モータ２０の動作時に超音波の周波数帯で発振するように構成されている。超音波振動は、振動モータ２０が発振する振動と比較して人体の深部に浸透する。そのため、本考案に係る治療器具１は、超音波発振器８０を有することにより、振動モータ２０の振動による痔核周辺の血行を促進するマッサージ効果だけではなく、患部において皮膚の深い位置の血行を促進するマッサージ効果が得られるため、より高い治療効果が期待できる。
【００３６】
＜使用形態＞
次に、本考案に係る治療器具１の使用形態を説明する。図２は、本考案に係る治療器具１の使用形態の説明図である。図２（ａ）は、臀部を後ろから見た状態を模式的に示しており、図２（ｂ）は、肛門周辺の断面を模式的に示している。本考案に係る治療器具１は、長さが５〜１５ｃｍ、太さが１〜５ｃｍの外形寸法を有することにより、図２（ａ）に示すように臀裂Ｘに挟んだり、図２（ｂ）に示すように先端側を肛門Ｙから直腸Ｚ内へ挿入したりすることが容易である。図２（ａ）に示す使用形態では、臀裂Ｘに挟むことで、治療器具１が肛門外側に生じる外痔核Ａに密着するため、外痔核Ａの周辺を確実にマッサージ、及び加温し、血行を効果的に促進することができる。図２（ｂ）に示す使用形態では、先端側を肛門Ｙから直腸Ｚ内へ挿入することで、治療器具１が肛門外側に生じる外痔核Ａ及び直腸下部に生じる内痔核Ｂに密着するため、外痔核Ａや内痔核Ｂの周辺を確実にマッサージ、及び加温し、血行を効果的に促進することができる。
【００３７】
以上のように、本考案の治療器具１は、本体１０を患部である肛門に押し当てたり、患部である肛門から直腸内へ挿入したりする使用形態において、振動モータ２０が１０〜３００Ｈｚの振動を発生させることにより痔核周辺をマッサージし、さらに、ヒータ３０が３５〜４２℃で発熱することにより痔核周辺を加温することができる。その結果、肛門周辺部の血行を促進させ、うっ血を緩和することができるため、高い痔治療効果を得ることができる。また、本考案の治療器具１は、肛門周辺部のマッサージや温熱によってうっ血を緩和し、さらに排便を促進することができるため、高い便秘治療効果を得ることができる。
【００３８】
＜別実施形態＞
本考案を上記の実施形態に基づいて説明してきたが、本考案は、上記の実施形態に限定されないのはもちろんである。例えば、別実施形態として、以下に示すような変形例を実施することもできる。
【００３９】
上記実施形態では、本体１０の外観形状が円筒状の胴部１０１を有する構成としたが、本体１０は他の外観形状で構成することもできる。例えば、図３（ａ）に示すように、本体１０は、表面が卵型に膨出した胴部１０１ａを有する外観形状であってもよい。痔及び便秘治療器具１Ａは、表面が卵型に膨出した胴部１０１ａを有することにより、本体１０を臀裂に挟んで使用する際に、肛門外側の外痔核に胴部１０１ａを密着させることが容易になる。その結果、外痔核の周辺の血行を効果的に促進することができる。
【００４０】
また、他の変形例として、図３（ｂ）に示すように、本体１０は、基端側に鍔部１０３を有し、鍔部１０３の近傍で胴部１０１ｂの外径が細く形成された外観形状であってもよい。本体１０が基端側に鍔部１０３を有することにより、痔及び便秘治療器具１Ｂを肛門から直腸内へ挿入して使用する際に、過度に直腸の奥側へ入り込むことが防止され、直腸下部の内痔核に先端部１０２を密着させることが容易になる。この結果、内痔核の周辺の血行を効果的に促進することができる。
【産業上の利用可能性】
【００４１】
本考案の痔及び便秘治療器具は、痔や便秘の治療に利用可能であり、痔の治療においては内痔核及び外痔核の何れの痔疾の治療にも利用可能である。
【符号の説明】
【００４２】
１                          痔及び便秘治療器具
１０                        本体
１１                        ケース
１２                        外装部材
２０                        振動モータ
３０                        ヒータ
４０                        制御部
７０                        磁石
８０                        超音波発信器
１０１、１０１ａ、１０１ｂ  胴部
１０２                      先端部
１０３                      鍔部
【図１】
0003228281.tif 000003
【図２】
0003228281.tif 000004
【図３】
0003228281.tif 000005